(57)【要約】      （修正有）【課題】不法侵入者の犯行を阻止し撃退して、さらに犯行の証拠を残させる噴霧式防犯装置を提供する。【解決手段】物入れの扉、部屋の扉、倉庫の扉、建物の出入り口または通路に配置され、圧縮した気体を収容するガスボンベ３２と、粉末１６を収納する粉溜まり３６と、自動制御されるバルブ３４とを備える。バルブ３４の開栓により、ガスボンベ３２から噴出するガスを粉末１６に吹き付けて、粉末１６をノズル３８から噴射させる噴霧器と、自動または手動によりバルブ３４を開栓させる制御装置１２を備える。【選択図】図５
0003172773.tif 000002
【実用新案登録請求の範囲】
【請求項１】
物入れの扉、部屋の扉、倉庫の扉、建物の出入り口または通路に配置され、圧縮した気体を収容するガスボンベと、粉末を収納する粉溜まりと、自動制御されるバルブを備え、前記バルブの開栓により、前記ガスボンベから噴出するガスを前記粉末に吹き付けて、前記粉末をノズルから噴射させるものであって、自動または手動により前記バルブを開栓させる制御装置を備えたことを特徴とする噴霧式防犯装置。
【請求項２】
請求項１に記載の噴霧式防犯装置において、
前記ノズルは、粉末を煙幕状に広角に噴射することを特徴とする噴霧式防犯装置。
【請求項３】
請求項１または２に記載の噴霧式防犯装置において、
前記粉末に、蛍光塗料が混入されていることを特徴とする噴霧式防犯装置。
【請求項４】
請求項１乃至３のいずれかに記載の噴霧式防犯装置において、
前記粉末を、床面に向かって噴射することを特徴とする噴霧式防犯装置。
【請求項５】
請求項１乃至４のいずれかに記載の噴霧式防犯装置において、
前記制御装置は、侵入者の居る部屋に粉末を噴射すると同時に、侵入者の逃走経路に粉末を噴射するように制御することを特徴とする噴霧式防犯装置。
【請求項６】
請求項１乃至５のいずれかに記載の噴霧式防犯装置において、
前記制御装置は、商品に固定されたタグから受信する信号強度の変化を検出して前記バルブを開栓させることを特徴とする噴霧式防犯装置。
【考案の詳細な説明】
【技術分野】
【０００１】
本考案は、不法侵入者を撃退し犯行の証拠を残させることができる噴霧式防犯装置に関する。
【背景技術】
【０００２】
不法侵入者が逃走するときに、建物の出入り口で自動的に着色インクを噴射する装置が開発されている（特許文献１参照）。また、逃走する経路で、係員の操作により、不法侵入者にインクを噴射する装置も開発されている（特許文献２参照）。
【先行技術文献】
【特許文献】
【０００３】
【特許文献１】特開平６−１７６２７７号公報
【特許文献２】特開２００１−１０１５３６号公報
【考案の概要】
【考案が解決しようとする課題】
【０００４】
既知の従来の技術には、次のような解決すべき課題があった。
商品を奪って逃走する犯人に着色インクを噴射すると、犯人だけでなく、周辺の建造物や商品にもインクが付着して、商品を駄目にしてしまうことがある。また、近くを通りがかった他人にも、インクが付着して迷惑をかけることがある。さらに、例えば、金庫をこじ開けた犯人に対してインクを噴射しても、必ずしも犯行を阻止することはできない。
上記の課題を解決するために、本考案は、不法侵入者の犯行を阻止し撃退して、さらに犯行の証拠を残させることができる噴霧式防犯装置を提供することを目的とする。
【課題を解決するための手段】
【０００５】
以下の構成はそれぞれ上記の課題を解決するための手段である。
〈構成１〉
物入れの扉、部屋の扉、倉庫の扉、建物の出入り口または通路に配置され、圧縮した気体を収容するガスボンベと、粉末を収納する粉溜まりと、自動制御されるバルブを備え、前記バルブの開栓により、前記ガスボンベから噴出するガスを前記粉末に吹き付けて、前記粉末をノズルから噴射させるものであって、自動または手動により前記バルブを開栓させる制御装置を備えたことを特徴とする噴霧式防犯装置。
【０００６】
〈構成２〉
構成１に記載の噴霧式防犯装置において、前記ノズルは、粉末が煙幕状に広角に噴射することを特徴とする噴霧式防犯装置。
【０００７】
〈構成３〉
構成１または２に記載の噴霧式防犯装置において、粉末に、蛍光塗料が混入されていることを特徴とする噴霧式防犯装置。
【０００８】
〈構成４〉
構成１乃至３のいずれかに記載の噴霧式防犯装置において、粉末を、床面に向かって噴射することを特徴とする噴霧式防犯装置。
【０００９】
〈構成５〉
構成１乃至４のいずれかに記載の噴霧式防犯装置において、前記制御装置は、侵入者の居る部屋に粉末を噴射すると同時に、侵入者の逃走経路に粉末を噴射するように、複数のバルブを制御することを特徴とする噴霧式防犯装置。
〈構成６〉
請求項１乃至５のいずれかに記載の噴霧式防犯装置において、前記制御装置は、商品に固定されたタグから受信する信号強度の変化を検出して前記バルブを開栓させることを特徴とする噴霧式防犯装置。
【考案の効果】
【００１０】
〈構成１の効果〉
粉末を噴射すると、霧状に一定時間一定範囲の視野を塞ぐので、防犯効果が高い。インクと比較すると、商品を汚したりせず、清掃も容易である。粉末は液体塗料よりも長期間保存でき、性能低下のおそれも少ない。犯人以外の周囲の者に付着しても、実害が少ない。さらに、犯人の体や衣服にしっかりと付着するので、犯人を特定する機能が十分ある。また、現場に明瞭な足跡が残る。従って、犯人捜査に有効な機能を発揮する。
〈構成２の効果〉
煙幕状に噴射されると、周囲が見えなくて、その場を立ち退かざるをえない。従って、防犯と撃退効果がある。
〈構成３の効果〉
蛍光塗料を含む粉末を使用すると夜間でも、粉末が付着した犯人を識別できる。また、足跡もはっきり分かる。
〈構成４の効果〉
粉末を床面に向かって噴射すると、侵入者の足下に広がるから、足跡を明瞭に残すことができる。
〈構成５の効果〉
同時に複数箇所に粉末を噴射して、逃走経路全体に煙幕状に粉末が噴射されると、逃げ場を見失わせることができる。また、逃走中に体全体に粉末が付着する。
〈構成６の効果〉
商品に、電波を送信するタグを固定しておく。そのタグから受信する信号強度の変化を検出すれば、商品棚から商品が奪われたときや商品を抱えて逃走中に、近くに配置された制御装置がバルブを開栓することができる。
【図面の簡単な説明】
【００１１】
【図１】実施例１の噴霧式防犯装置１０を示す説明図である。
【図２】粉末を床面に向かって噴射する例を示す斜視図である。
【図３】実施例３の噴霧式防犯装置１０を示す建物の平面図である。
【図４】侵入者の状態説明図である。
【図５】噴霧式防犯装置１０の具体的な内部構造を示す説明図である。
【図６】実施例５の装置の斜視図である。
【図７】実施例５の変形例を示す説明図である。
【考案を実施するための形態】
【００１２】
以下、本考案の実施の形態を実施例毎に詳細に説明する。
【実施例１】
【００１３】
図１は実施例１の噴霧式防犯装置１０を示す説明図である。
この噴霧式防犯装置１０は、例えば、物入れの扉、部屋の扉、倉庫の扉、建物の出入り口あるいは通路等に配置される。そして、例えば、侵入者１８が無理に金庫を開けたような場合に図示しない警報が鳴り、同時に噴霧式防犯装置１０が作動して、金庫のある部屋に粉末１６を噴出する。粉末１６が煙幕状に広角に噴射され、部屋全体に立ちこめて、侵入者１８の視野を塞ぐ。宝石等を掴み取って逃げることも出来なくなる。
【００１４】
さらに、粉末は、侵入者１８の衣服や体全体に粉末１６が付着する。粉末は第３者が手を触れても害のない素材がこのましく、例えば、小麦粉でもよいし、石灰でもよいし、炭酸カルシウム等であってもよい。吸湿性の無いものならば、保存性もよい。普段はあまり手を触れないような材料が含まれていると、粉末が付着した者を侵入者と判定できる。例えば、粉末に蛍光塗料が混入されていると、夜間でも、粉末が付着した犯人を識別できる。また、足跡もはっきり分かるという効果がある。
【実施例２】
【００１５】
図２は、粉末を床面に向かって噴射する例を示す斜視図である。
図のように、噴霧器１４は当初から床面を向いている。通常、犯行に使用する道具は床に置く。また、盗品を運ぶ鞄等も床に置く。従って、粉末を床面に向かって噴射することで、主要なものに一気に粉末１６を付着させることができる。また、足２０や靴に多量の粉末１６が付着すると、靴跡２２も明瞭に残るという効果もある。
【実施例３】
【００１６】
図３は実施例３の噴霧式防犯装置１０を示す建物の平面図である。
この実施例では、建物の居室２４と廊下２８とエントランス３０にそれぞれ噴霧器１４が配置されている。例えば、居室２４に配置された噴霧器１４が作動すると、居室２４全体に粉末１６が煙幕状に噴射される。廊下２８やエントランス３０についても同様である。居室２４で侵入者１８の侵入が検知され、侵入者１８が金庫２６を無理に開けようとしたとき、図示しない警報装置が作動する。
【００１７】
そのとき、居室２４に配置された１４が作動し、同時に、廊下２８に配置された１４が作動し、エントランス３０に配置された１４も作動する。従って、侵入者の逃走経路に全体に一気に粉末１６を噴射することになる。噴射された粉末１６は、侵入者１８が逃走する時間中は、空中にただよっており、煙幕の役割を果たす。従って、侵入者１８の逃走経路を見失わせることができる。さらに、図４に示したように、逃走中に体全体に粉末１６が付着するので、その後靴後２２に基づいて犯人を確実に特定できる。
【実施例４】
【００１８】
図５は、噴霧式防犯装置１０の具体的な内部構造を示す説明図である。
この装置は、図５（ａ）に示すように、圧縮した気体を収容するガスボンベ３２と、粉末１６を収納する粉溜まり３６と、自動制御されるバルブ３４とを備える。図５（ｂ）に示すように、粉溜り３６には、粉末１６が詰め込まれており、バルブ３４を通じて圧縮したガスが吹き込まれる構成になっている。また、粉溜り３６には、ノズル３８が設けられており、粉溜り３６からノズル３８へ向かう通路は蓋４０により塞がれている。バルブ３４の開栓により、ガスボンベ３２から噴出するガスを粉末１６に吹き付けて、粉末１６をノズル３８から噴射させる。蓋４０は、ガスの圧力で破られて、粉末１６がノズル３８を通じて外部に噴出する。
【００１９】
図５（ｃ）に示すように、バルブ３４は、制御装置１２に接続されている。制御装置１２は、例えば、防犯装置に接続されている。そして、防犯装置が作動すると自動的に制御装置１２を開栓させる。また、制御装置１２は、係員の操作する警報スイッチに接続されている。こうして、自動または手動によりバルブ３４を制御する。粉末は、インクと比較すると、商品を汚したりせず、清掃も容易であるという効果がある。以上の構成により、不法侵入者の犯行を阻止し撃退して、さらに犯行の証拠を残させることができる。
【実施例５】
【００２０】
図６は実施例５の装置の斜視図である。
図の装置は、商品４４を陳列するための商品陳列棚４２に内臓されている。その内部機構を図の右側に示した。全体の概略構成は既に説明した実施例のものと同様である。制御装置１２は、例えば、近接センサや静電センサ等により、商品４４の存在する状態で電気的に安定状態を保持している。そして、制御装置１２の動作を停止させないで商品４４を突然取り去ると、上記の安定状態が崩れる。これを制御装置１２が検出して、ガスボンベ３２のバルブを開くようにする。
【００２１】
制御装置１２もガスボンベ３２も商品陳列棚４２の中に組み込んでおく。商品陳列棚４２の側壁には粉末１６を噴出させるための開口が設けられている。従って、不法侵入者が商品４４を奪い去ろうとすると、粉末１６が侵入者の衣服等に付着する。同時に周辺に粉末１６が霧状にたちこめて、他の商品を物色できなくなる。
【００２２】
図７は、実施例５の変形例を示す説明図である。
なお、商品４４にＩＣタグを固定しておき、そのタグ４４の送信する電波を制御装置１２が受信するようしてもよい。制御装置１２がタグ４４から受信できる電波の強度が変化したときに、ガスボンベ３２のバルブを開くとよい。
【００２３】
また、図７に示すように、ゲートや通路４８の部分にガスボンベ３２を配置しておき、ＩＣタグを固定した商品４４を持った侵入者が通ったときに、制御装置１２がタグ４４から受信する電波の強度変化を検出して、ガスボンベ３２のバルブを開くようにする。係員は、商品を正規に販売したとき、このタグ４４を取り外す。高額の商品にのみ、制御装置１２と通信をする商品４４を固定しておけば十分である。
【００２４】
以上説明した本考案の装置は、粉末を使用するので、インクを噴出する既知の装置に比べて掃除がし易く商品を著しく汚損することがない。もちろん、商品によっては粉末が付着したことにより錆を発生するようなものもあるが、これは粉末の材料を選択することで解決できる。インク等に比べて、微量に各所に付着して残るため、犯人を特定するのに役立つという効果もある。しかも、目に入ると目を開けていられなくなるといった効果も期待できる。
【符号の説明】
【００２５】
１０  噴霧式防犯装置
１２  制御装置
１４  噴霧器
１６  粉末
１８  侵入者
２０  足
２２  靴跡
２４  居室
２６  金庫
２８  廊下
３０  エントランス
３２  ガスボンベ
３４  バルブ
３６  粉溜り
３８  ノズル
４０  蓋
４２  商品陳列棚
４４  商品
４６  タグ
４８  ゲートや通路
【図１】
0003172773.tif 000003
【図２】
0003172773.tif 000004
【図３】
0003172773.tif 000005
【図４】
0003172773.tif 000006
【図５】
0003172773.tif 000007
【図６】
0003172773.tif 000008
【図７】
0003172773.tif 000009
【手続補正書】
【提出日】平成23年9月29日(2011.9.29)
【手続補正１】
【補正対象書類名】実用新案登録請求の範囲
【補正対象項目名】全文
【補正方法】変更
【補正の内容】
【実用新案登録請求の範囲】
【請求項１】
物入れの扉、部屋の扉、倉庫の扉、建物の出入り口または通路に配置され、圧縮した気体を収容するガスボンベと、粉末を収納する粉溜まりと、自動制御されるバルブを備え、前記粉溜りには、前記ガスボンベから、前記バルブを通じて圧縮したガスが吹き込まれる構成とされ、前記粉溜まりからノズルへ向かう通路には、前記ガスの圧力で破られる蓋が設けられており、前記バルブの開栓により、前記ガスボンベから噴出するガスを前記粉末に吹き付けて、前記粉末をノズルから噴射させるものであって、自動または手動により前記バルブを開栓させる制御装置を備えたことを特徴とする噴霧式防犯装置。
【請求項２】
請求項１に記載の噴霧式防犯装置において、
前記ノズルは、粉末を煙幕状に広角に噴射することを特徴とする噴霧式防犯装置。
【請求項３】
請求項１または２に記載の噴霧式防犯装置において、
前記粉末に、蛍光塗料が混入されていることを特徴とする噴霧式防犯装置。
【請求項４】
請求項１乃至３のいずれかに記載の噴霧式防犯装置において、
前記噴霧器は前記粉末を、床面に向かって噴射することを特徴とする噴霧式防犯装置。
【請求項５】
請求項１乃至４のいずれかに記載の噴霧式防犯装置において、
前記制御装置は、侵入者の逃走経路に配置された噴霧器１４を作動させて粉末を噴射するように制御することを特徴とする噴霧式防犯装置。
【請求項６】
請求項１乃至５のいずれかに記載の噴霧式防犯装置において、
前記制御装置は、商品に固定されたタグから受信する信号強度の変化を検出して前記バルブを開栓させることを特徴とする噴霧式防犯装置。
【手続補正２】
【補正対象書類名】明細書
【補正対象項目名】００１７
【補正方法】変更
【補正の内容】
【００１７】
そのとき、居室２４に配置された１４が作動し、同時に、廊下２８に配置された噴霧器１４が作動し、エントランス３０に配置された噴霧器１４も作動する。従って、侵入者の逃走経路に全体に一気に粉末１６を噴射することになる。噴射された粉末１６は、侵入者１８が逃走する時間中は、空中にただよっており、煙幕の役割を果たす。従って、侵入者１８の逃走経路を見失わせることができる。さらに、図４に示したように、逃走中に体全体に粉末１６が付着するので、その後靴後２２に基づいて犯人を確実に特定できる。
【手続補正書】
【提出日】平成23年10月28日(2011.10.28)
【手続補正１】
【補正対象書類名】実用新案登録請求の範囲
【補正対象項目名】全文
【補正方法】変更
【補正の内容】
【実用新案登録請求の範囲】
【請求項１】
物入れの扉、部屋の扉、倉庫の扉、建物の出入り口または通路に配置され、圧縮した気体を収容するガスボンベと、粉末を収納する粉溜まりと、自動制御されるバルブを備え、前記粉溜りには、前記ガスボンベから、前記バルブを通じて圧縮したガスが吹き込まれる構成とされ、前記粉溜まりからノズルへ向かう通路には、前記ガスの圧力で破られる蓋が設けられており、前記バルブの開栓により、前記ガスボンベから噴出するガスを前記粉末に吹き付けて、前記粉末をノズルから噴射させる噴霧器と、自動または手動により前記バルブを開栓させる制御装置を備えたことを特徴とする噴霧式防犯装置。
【請求項２】
請求項１に記載の噴霧式防犯装置において、
前記ノズルは、粉末を煙幕状に広角に噴射することを特徴とする噴霧式防犯装置。
【請求項３】
請求項１または２に記載の噴霧式防犯装置において、
前記粉末に、蛍光塗料が混入されていることを特徴とする噴霧式防犯装置。
【請求項４】
請求項１乃至３のいずれかに記載の噴霧式防犯装置において、
前記噴霧器は前記粉末を、床面に向かって噴射することを特徴とする噴霧式防犯装置。
【請求項５】
請求項１乃至４のいずれかに記載の噴霧式防犯装置において、
前記制御装置は、侵入者の逃走経路に配置された噴霧器を作動させて粉末を噴射するように制御することを特徴とする噴霧式防犯装置。
【請求項６】
請求項１乃至５のいずれかに記載の噴霧式防犯装置において、
前記制御装置は、商品に固定されたタグから受信する信号強度の変化を検出して前記バルブを開栓させることを特徴とする噴霧式防犯装置。